(57)【要約】【課題】無線帯域で発生する電波干渉を抑止することを課題とする。【解決手段】車載機は、車両内に持ち込まれた端末装置との通信が確立されると、当該端末装置を個別に識別する電話番号などの識別情報の登録要否をモニタに出力し、登録要求を受け付けた識別情報を登録し、識別情報が登録された端末装置に対して停波を要求するとともに、車載機を介したＩＰ通信を行なうように指示し、端末装置からＩＰ通信にかかる各種情報を受信した場合に、端末装置とＩＴＳ用の基地局とのＩＰ通信を中継する。【選択図】        図２
2010226257.tif 000002
【特許請求の範囲】
【請求項１】
端末装置用の基地局と無線通信を行なう端末装置に対して、無線通信機能の停止要求を送信する停止要求送信手順と、
車載機を介した車載機用の基地局装置との通信に切り替える指示を前記端末装置に対して送信する通信切替指示手順と、
前記端末装置と、前記車載機用の基地局装置との通信を中継する通信中継手順と、
をコンピュータに実行させることを特徴とする通信中継プログラム。
【請求項２】
前記車載機と前記端末装置との通信が確立されたことを検出する検出手順をさらに実行させ、
前記停止要求送信手順は、前記検出手順によって通信の確立が検出された場合に、前記端末装置に対して、無線通信機能の停止要求を送信することを特徴とする請求項１に記載の通信中継プログラム。
【請求項３】
端末装置を個別に識別するための識別情報を記憶する記憶装置に、前記端末装置が有する識別情報が登録されているか否かを判定する識別情報登録判定手順と、
前記識別情報登録判定手順によって識別情報が登録されていないと判定された端末装置が有する識別情報の登録要否を表示装置に出力させる登録要否出力手順と、
前記識別情報が登録されていないと判定された端末装置が有する識別情報の登録要求を受け付けた場合に、当該端末装置の識別情報を前記記憶装置に登録する識別情報登録手順と、をさらに実行させ、
前記停止要求送信手順は、前記識別情報登録判定手順によって識別情報が登録されていると判定された場合、または前記識別情報登録手順によって端末装置の識別情報が前記記憶装置に登録された場合に、前記停止要求を前記端末装置に対して送信することを特徴とする請求項１または２に記載の通信中継プログラム。
【請求項４】
前記登録要否出力手順は、前記識別情報登録判定手順によって識別情報が登録されていないと判定された端末装置が有する識別情報を、一時的に登録する仮登録または半永久的に登録する本登録としての登録要否を前記表示装置に出力させ、
前記識別情報登録手順は、前記識別情報が登録されていないと判定された端末装置が有する識別情報の仮登録または本登録としての登録要求を受け付けた場合に、当該端末装置の識別情報を前記記憶装置に仮登録または本登録として登録することを特徴とする請求項３に記載の通信中継プログラム。
【請求項５】
無線通信機能の開始要求を前記端末装置に対して送信する開始要求送信手順をさらに実行させることを特徴とする請求項１または２に記載の通信中継プログラム。
【請求項６】
端末装置用の基地局と無線通信を行なう端末装置に対して、無線通信機能の停止要求を送信する停止要求送信手段と、
自装置を介した自装置用の基地局装置との通信に切り替える指示を前記端末装置に対して送信する通信切替指示手段と、
前記端末装置と、前記自装置用の基地局装置との通信を中継する通信中継手段と、
を有することを特徴とする車載機。
【請求項７】
端末装置用の基地局と無線通信を行なう端末装置に対して、無線通信機能の停止要求を送信する停止要求送信工程と、
車載機を介した車載機用の基地局装置との通信に切り替える指示を前記端末装置に対して送信する通信切替指示工程と、
前記端末装置と、前記車載機用の基地局装置との通信を中継する通信中継工程と、
を含んだことを特徴とする通信中継方法。
【発明の詳細な説明】
【技術分野】
【０００１】
本発明は、通信中継プログラム、車載機および通信中継方法に関する。
【背景技術】
【０００２】
従来より、車両の走行にかかる安全性の向上や交通渋滞の緩和などのサービスを実現する高度道路交通システム（ITS：Intelligent  Transport  Systems）が知られている。この高度道路交通システムでは、例えば、路上などに設置されるＩＴＳ用の基地局および車両に搭載される車載機の間における路車間通信や、各車載機の間における車車間通信などを利用して、様々な情報をやり取りすることによりサービスが実現される。
【０００３】
そして、路車間通信および車車間通信においては、例えば、ＩＴＳ用の基地局から各車載機に対して無線帯域が割り当てられ、各車載機は、割り当てられた無線帯域を利用して通信を行なう。ところが、利用できる無線帯域は限られているため、通行する車両数が増加すると、当該無線帯域の不足に繋がることとなる。そこで、最近では、車載機に割り当てられる無線帯域を有効利用するための様々な技術がある。
【先行技術文献】
【特許文献】
【０００４】
【特許文献１】特開２００３−２３０１７７号公報
【特許文献２】特開２００８−４２８５０号公報
【特許文献３】特開２００６−５４５５８号公報
【特許文献４】特開２００４−３１８３９３号公報
【発明の概要】
【発明が解決しようとする課題】
【０００５】
しかしながら、上述した従来技術では、無線帯域で電波干渉が発生するという課題がある。具体的には、高度道路交通システムにおける通信では、当該通信で利用される無線帯域に対して、車載機とは異なる無線機器から受ける電波干渉が少しでも発生した場合に、当該無線帯域における通信品質が低下することが考えられる。特に、路車間通信における無線帯域と近い無線帯域を利用する携帯電話機などの端末装置によって発生される電波は、電波干渉の原因となり得る。
【０００６】
これらのことから、上述した従来技術では、限られた無線帯域をいかに有効利用したとしても、端末装置によって発生される電波に起因する電波干渉を抑制することができない。また、発生する電波干渉は、高度道路交通システム下における端末装置の利用にも支障をきたしてしまう。なお、電波干渉に対する対策としては、電波を吸収するフィルタを利用したり、端末装置を一律に利用禁止に制御したりすることが考えられるが、いずれの場合も実用的ではない。
【０００７】
そこで、本願に開示する技術は、上記に鑑みてなされたものであって、無線帯域で発生する電波干渉を抑止することが可能である通信中継プログラム、車載機および通信中継方法を提供することを目的とする。
【課題を解決するための手段】
【０００８】
上述した課題を解決し、目的を達成するため、本願に開示する通信中継プログラムは、端末装置用の基地局と無線通信を行なう端末装置に対して、無線通信機能の停止要求を送信する停止要求送信手順と、車載機を介した車載機用の基地局装置との通信に切り替える指示を前記端末装置に対して送信する通信切替指示手順と、前記端末装置と、前記車載機用の基地局装置との通信を中継する通信中継手順と、をコンピュータに実行させることを要件とする。
【発明の効果】
【０００９】
本願に開示する通信中継プログラム、車載機および通信中継方法の一つの様態によれば、無線帯域で発生する電波干渉を抑止することができるという効果を奏する。
【図面の簡単な説明】
【００１０】
【図１】図１は、車載機を含むシステム構成の例について説明するための図である。
【図２】図２は、実施例１に係る車載機による処理を説明するための図である。
【図３】図３は、実施例１に係る車載機の構成例を示す図である。
【図４】図４は、接続情報のフォーマット例を示す図である。
【図５】図５は、実施例１に係る端末装置の構成例を示す図である。
【図６】図６は、実施例１に係る車載機における接続情報判定処理の流れを説明するためのフローチャートである。
【図７】図７は、実施例１に係る端末装置における接続情報判定処理の流れを説明するためのフローチャートである。
【図８】図８は、実施例１に係る発信および中継処理の流れを説明するためのシーケンス図である。
【図９】図９は、通信中継プログラムを実行するコンピュータを示す図である。
【図１０】図１０は、通信切替プログラムを実行するコンピュータを示す図である。
【発明を実施するための形態】
【００１１】
以下に添付図面を参照して、本願に開示する通信中継プログラム、車載機および通信中継方法の実施例を説明する。なお、以下の実施例により本発明が限定されるものではない。
【実施例１】
【００１２】
最初に、図１を用いて、本願に開示する車載機を含むシステム構成について説明する。図１は、車載機を含むシステム構成の例について説明するための図である。また、図２を用いて、実施例１に係る車載機による処理を説明する。図２は、実施例１に係る車載機による処理を説明するための図である。
【００１３】
本願に開示する車載機は、図１に示すように、例えば、車両などの移動体に搭載され、ＩＴＳ用の基地局、ゲートウェイ装置およびネットワークを介して、ＩＳＰ（Internet  Services  Provider）と無線通信を行なう。また、車両に搭載される車載機は、ＩＴＳ用の基地局の通信領域においてＩＰ（Internet  Protocol）接続を行ない、当該ＩＰ接続によるＶｏＩＰ（Voice  over  Internet  Protocol）通話やＷｅｂアクセスなどの機能を有する。
【００１４】
一方、ネットワークは、例えば、携帯電話機やＰＨＳ（Personal  Handyphone  System）などの端末装置によって無線通信が行なわれる場合にも利用される。具体的には、端末装置は、一般携帯網として、当該端末装置用の基地局、ゲートウェイ装置およびネットワークを介して、ＩＳＰと無線通信を行なう。
【００１５】
また、車載機は、図２に示すように、例えば、車両内において車両前方に配置されるダッシュボードなどに敷設され、カーナビゲーション装置などと連携して様々なサービスを提供する。また、車載機は、種々の情報を表示出力するモニタ若しくはタッチパネルディスプレイや、オーディオ機能などを有していても良い。なお、本実施例では、車載機が搭載された車両内で端末装置を利用する場合を説明する。
【００１６】
上述した構成において、車載機は、図２の（１）に示すように、当該車載機と端末装置との通信が確立されたことを検出する。
【００１７】
具体的に説明すると、車載機は、当該車載機と、車両内に持ち込まれた端末装置との有線通信或いは無線通信が確立されたことを検出する。車載機と端末装置との通信は、例えば、ケーブルを用いた有線接続であっても良いし、Ｂｌｕｅｔｏｏｔｈ（登録商標）などを用いた無線接続であっても良い。なお、Ｂｕｌｅｔｏｏｔｈ（登録商標）を用いた無線接続の場合には、車載機や端末装置などのユーザが特に意識することなく通信が確立される。
【００１８】
そして、車載機は、図２の（２）に示すように、端末装置との通信の確立が検出された場合に、端末装置用の基地局と無線通信を行なう端末装置に対して、無線通信機能の停止要求を送信する。また、車載機は、車載機を介した車載機用の基地局装置との通信に切り替える指示を端末装置に対して送信する。
【００１９】
上述した例で具体的に説明すると、車載機は、端末装置との有線通信或いは無線通信の確立が検出された場合に、一般携帯網における無線通信機能の停止要求を端末装置に対して送信する。なお、停止要求される無線通信機能は、端末装置と当該端末装置用の基地局との間における無線通信機能、すなわち一般携帯網における無線通信機能であり、端末装置と車載機との間における通信機能ではない。
【００２０】
一方、車載機から停止要求を受信した端末装置は、例えば、当該端末装置が有するＲＦ（Radio  Frequency）部の回路を切り替えることにより、一般携帯網における無線通信機能を停止する。
【００２１】
また、車載機は、車載機を介したＩＴＳ用の基地局との通信に切り替える指示を端末装置に対して送信する。端末装置に対して送信される通信の切替指示は、例えば、端末装置を用いた通話やＷｅｂアクセスなどの通信にかかる情報を車載機に対して発信するように指示するものである。
【００２２】
一方、車載機から通信の切替指示を受信した端末装置は、例えば、通話を行なう場合に、音声情報などを含む接続情報にかかるフォーマットを車載機に対して送信する。
【００２３】
続いて、車載機は、図２の（３）に示すように、端末装置と、車載機用の基地局装置との通信を中継する。
【００２４】
上述した例で具体的に説明すると、端末装置から音声情報を含んだフォーマットを受信した車載機は、ＩＴＳ用の基地局とのＩＰ接続によるＶｏＩＰ通話機能を利用して、当該端末装置とＩＴＳ用の基地局とのＩＰ電話にかかる音声情報を中継する。ＩＰ電話などの音声情報の中継処理では、上記フォーマットに当該音声情報を入力しつつ車載機と端末装置との間でやり取りされる。この結果、端末装置は、車載機による通信の中継処理によってＩＰ電話による通話が可能となる。但し、ＩＰ電話によって発生する料金は、端末装置ではなく、車載機において課金されることとなる。
【００２５】
つまり、車載機は、車両内における端末装置との接続を検出し、一般電話網での無線通信機能の停止を端末装置に対して要求するとともに、端末装置による通話やＷｅｂアクセスなどの通信を、車載機を介した通信に切り替える指示を端末装置に対して送信し、端末装置およびＩＴＳ用の基地局間での通信を中継するので、車両内における端末装置による通信を維持しつつ、無線帯域で発生する電波干渉を抑止することができる。
【００２６】
［車載機の構成］
次に、図３を用いて、実施例１に係る車載機の構成を説明する。図３は、実施例１に係る車載機の構成例を示す図である。
【００２７】
図３に示すように、車載機１００は、端末用Ｉ／Ｆ部１０１と、ＩＴＳ基地局用Ｉ／Ｆ部１０２と、記憶部１１０と、制御部１２０とを有する。そして、車載機１００は、ＩＴＳ用の基地局の通信領域においてＩＰ接続を行ない、当該ＩＰ接続によるＶｏＩＰ通話やＷｅｂアクセスなどの機能を有する。
【００２８】
また、車載機１００は、例えば、種々の情報を表示出力するモニタ（若しくは、タッチパネルディスプレイ）やスピーカなどを有する。また、車載機１００は、例えば、車載機１００を操作するための操作ボタンやジョグダイヤルなどの入力装置をモニタ周辺に有する。なお、表示装置であるモニタや入力装置である操作ボタンなどは、車載機１００に接続されるカーナビゲーション装置などの外部装置が有するものを利用することとしても良い。
【００２９】
端末用Ｉ／Ｆ部１０１は、端末装置との通信に利用されるインタフェースである。例えば、端末用Ｉ／Ｆ部１０１は、車両内に持ち込まれた携帯電話機などの端末装置とのケーブル接続による有線通信、或いはＢｌｕｅｔｏｏｔｈ（登録商標）接続による無線通信に利用されるインタフェースである。そして、車載機１００と端末装置との間でやり取りされる各種情報は、端末用Ｉ／Ｆ部１０１を介して送受信される。
【００３０】
ＩＴＳ基地局用Ｉ／Ｆ部１０２は、ＩＴＳ基地局との無線通信に利用されるインタフェースである。例えば、ＩＴＳ基地局用Ｉ／Ｆ部１０２は、ＩＰ接続によるＶｏＩＰ通話やＷｅｂアクセスなどが行なわれる際の車載機１００とＩＴＳ用の基地局との無線通信に利用されるインタフェースである。そして、車載機１００とＩＴＳ用の基地局との間でやり取りされる各種情報は、ＩＴＳ基地局用Ｉ／Ｆ部１０２を介して送受信される。
【００３１】
記憶部１１０は、制御部１２０による各種処理に必要なデータや、制御部１２０による各種処理結果を記憶する。例えば、記憶部１１０は、端末装置を個別に識別するための識別情報を記憶する。記憶部１１０によって記憶される識別情報は、電話番号やＳＩＭ（Subscriber  Identity  Module）カード番号などの端末装置を一意に識別する情報である。
【００３２】
制御部１２０は、制御プログラム、各種の処理手順などを規定したプログラムおよび所要データを格納するための内部メモリを有するとともに、特に、受信部１２１と、接続情報判定部１２２と、接続処理部１２３と、送信部１２４とを有し、これらによって種々の処理を実行する。例えば、制御部１２０は、端末用Ｉ／Ｆ部１０１においてケーブルによる有線通信、またはＢｌｕｅｔｏｏｔｈ（登録商標）による無線通信が車載機１００と端末装置との間で確立された場合に、当該通信の確立を検出する。
【００３３】
受信部１２１は、端末用Ｉ／Ｆ部１０１を介して、端末装置から発信された各種情報を受信する。例えば、受信部１２１は、端末用Ｉ／Ｆ部１０１を介して、端末装置から発信された車載機１００との接続にかかる接続情報やＩＰ通信にかかるＩＴＳ用の基地局に対する入力情報を受信する。
【００３４】
また、受信部１２１は、ＩＴＳ基地局用Ｉ／Ｆ部１０２を介して、ＩＴＳ用の基地局から送信された各種情報を受信する。例えば、受信部１２１は、ＩＴＳ基地局用Ｉ／Ｆ部１０２を介して、ＩＴＳ用の基地局から送信されたＩＰ通信にかかる端末装置に対する出力情報を受信する。
【００３５】
ここで、図４を用いて、受信部１２１によって受信される接続情報について説明する。図４は、接続情報のフォーマット例を示す図である。なお、本実施例では、通信方式として、ＯＦＤＭ（Orthogonal  Frequency  Division  Multiplexing）方式を利用する場合のフォーマットを説明する。
【００３６】
例えば、図４に示すように、車載機１００と端末装置との間でやり取りされる接続情報には、Ｐｒｅａｍｂｌｅと、Ｍａｐ情報と、再接続要求情報と、停波要求情報と、ＩＰ接続情報（出力）と、端末装置情報と、ＩＰ接続情報（入力）とが含まれる。
【００３７】
このうち、再接続要求情報、停波要求情報およびＩＰ接続情報（出力）は、ＤｏｗｎＬｉｎｋ情報、すなわち車載機１００から端末装置への情報である。同様に、端末装置情報およびＩＰ接続情報（入力）は、ＵｐＬｉｎｋ情報、すなわち端末装置から車載機１００への情報である。なお、ＤｏｗｎＬｉｎｋ情報およびＵｐＬｉｎｋ情報のそれぞれは、自由に利用できる領域「Ｓｐａｒｅ」を含んでいる。
【００３８】
そして、Ｐｒｅａｍｂｌｅは、クロック同期用の情報、すなわち接続情報フォーマットに含まれる接続情報の先頭位置を示す情報である。また、Ｍａｐ情報は、どの位置に何の情報があるか、すなわち接続情報フォーマットに含まれる各接続情報の位置情報を示す情報である。ＯＦＤＭのフォーマットは、各種情報の位置や範囲などを自由に設定できるため、ＰｒｅａｍｂｌｅとＭａｐ情報とを有する。つまり、接続情報フォーマットに含まれる各種情報は、図４に示すような位置や範囲ではなくても良い。
【００３９】
また、再接続要求情報は、車載機１００から端末装置に対して再接続が要求される場合に利用されるフラグ情報である。また、停波要求情報は、車載機１００から端末装置に対して無線通信機能の停止が要求される場合に利用されるフラグ情報である。また、ＩＰ接続情報（出力）は、車載機１００が有するＩＰ通信機能を用いて、端末装置とＩＴＳ用の基地局とのＩＰ通信にかかる情報が中継される場合に利用される端末装置に対する出力情報である。
【００４０】
一方、端末装置情報は、端末装置から車載機１００に対して接続情報フォーマットが発信される場合に利用される情報であり、例えば、端末装置の電話番号やＳＩＭカード番号などの端末装置を一意に識別するための情報である。また、ＩＰ接続情報（入力）は、車載機１００が有するＩＰ通信機能を用いて、端末装置とＩＴＳ用の基地局とのＩＰ通信にかかる情報が中継される場合に利用される車載機１００に対する入力情報である。なお、端末装置情報については、当該端末装置を所有するユーザのユーザ情報などを含んでいても良い。
【００４１】
図３の説明に戻り、接続情報判定部１２２は、受信部１２１によって受信された接続情報を用いて、当該接続情報にかかる各種判定を行なう。例えば、接続情報判定部１２２は、受信部１２１によって受信された接続情報に端末装置情報が含まれているか否かを判定する。なお、接続情報判定部１２２は、接続情報に端末装置情報が含まれていない場合に、当該接続情報に端末装置情報が含まれていない旨を接続処理部１２３に対して通知する。
【００４２】
そして、接続情報判定部１２２は、接続情報に端末装置情報が含まれている場合に、記憶部１１０に、端末装置が有する識別情報が登録されているか否かを判定する。続いて、接続情報判定部１２２は、識別情報が登録されていないと判定された場合に、当該識別情報が登録されていないと判定された端末装置が有する識別情報の登録要否を表示装置に出力させる。
【００４３】
その後、接続情報判定部１２２は、識別情報が登録されていないと判定された端末装置が有する識別情報の登録要求を受け付けた場合に、当該端末装置の識別情報を記憶部１１０に登録する。なお、接続情報判定部１２２は、識別情報が登録済みである場合、または識別情報を登録した場合に、登録済みまたは登録した旨を接続処理部１２３に対して通知する。
【００４４】
また、例えば、接続情報判定部１２２は、受信部１２１によって受信された接続情報にＩＰ接続情報（入力）が含まれているか否かを判定する。そして、接続情報判定部１２２は、ＩＰ接続情報（入力）が含まれていると判定された場合に、当該ＩＰ接続情報（入力）を接続処理部１２３に対して通知する。なお、接続情報判定部１２２は、ＩＰ接続情報（入力）が含まれていないと判定された場合に、接続情報を破棄する。
【００４５】
また、例えば、接続情報判定部１２２は、受信部１２１によってＩＴＳ用の基地局から送信されたＩＰ通信にかかる端末装置に対するＩＰ接続情報（出力）が受信された場合に、当該ＩＰ接続情報（出力）を接続処理部１２３に対して通知する。
【００４６】
接続処理部１２３は、車載機１００、端末装置およびＩＴＳ用の基地局の接続或いはＩＰ通信にかかる各種処理を行なう。例えば、接続処理部１２３は、接続情報判定部１２２によって接続情報に端末装置情報が含まれていない旨を通知された場合に、接続情報に含まれる再接続要求情報にフラグを立てて、端末装置に対する当該接続情報の送信を送信部１２４に指示する。
【００４７】
また、例えば、接続処理部１２３は、接続情報判定部１２２によって識別情報が登録済み、または識別情報を登録した旨を通知された場合に、接続情報に含まれる停波要求情報にフラグを立てて、端末装置に対する当該接続情報の送信を送信部１２４に指示する。そして、接続処理部１２３は、送信部１２４に対する停波要求情報を含んだ接続情報の送信指示とともに、車載機１００を介したＩＴＳ用の基地局との通信に切り替える通信切替指示を端末装置に対して送信するように送信部１２４に指示する。
【００４８】
また、例えば、接続処理部１２３は、接続情報判定部１２２によってＩＰ接続情報（入力）を含む接続情報が通知された場合に、ＩＴＳ用の基地局に対する当該ＩＰ接続情報（入力）の送信を送信部１２４に指示する。
【００４９】
また、例えば、接続処理部１２３は、接続情報判定部１２２によってＩＰ接続情報（出力）が通知された場合に、端末装置に対する当該ＩＰ接続情報（出力）を含む接続情報の送信を送信部１２４に指示する。
【００５０】
送信部１２４は、接続処理部１２３による種々の送信指示を受け付けて、端末用Ｉ／Ｆ部１０１を介して端末装置に対して、或いはＩＴＳ基地局用Ｉ／Ｆ部１０２を介してＩＴＳ用の基地局に対して送信処理を行なう。
【００５１】
例えば、送信部１２４は、接続処理部１２３によって指示され、フラグが立てられた再接続要求情報を含む接続情報を端末装置に対して送信する。また、例えば、送信部１２４は、接続処理部１２３によって指示され、フラグが立てられた停波要求情報を含む接続情報と、車載機１００を介したＩＴＳ用の基地局との通信に切り替える通信切替指示とを端末装置に対して送信する。
【００５２】
また、例えば、送信部１２４は、接続処理部１２３によって指示され、ＩＴＳ基地局用Ｉ／Ｆ部１０２を介して、ＩＰ接続情報（入力）をＩＴＳ用の基地局に対して送信する。また、例えば、送信部１２４は、接続処理部１２３によって指示され、端末用Ｉ／Ｆ部１０１を介して、ＩＰ接続情報（出力）を含む接続情報を端末装置に対して送信する。
【００５３】
［端末装置の構成］
次に、図５を用いて、実施例１に係る端末装置の構成を説明する。図５は、実施例１に係る端末装置の構成例を示す図である。なお、図５に示した端末装置は、後述する機能部のほかに、例えば、音声処理に関する機能部（マイクやスピーカ等）を有していてもよい。なお、本実施例で用いる端末装置としては、例えば、後述する機能部と音声処理に関する機能部とを有する携帯端末などを用いることができる。
【００５４】
図５に示すように、端末装置１５０は、車載機用Ｉ／Ｆ部１５１と、端末基地局用Ｉ／Ｆ部１５２と、記憶部１６０と、制御部１７０とを有する。そして、端末装置１５０は、例えば、種々の情報を表示出力するディスプレイ（若しくは、タッチパネルディスプレイ）やスピーカなどを有する。また、端末装置１５０は、端末装置１５０を操作するための操作ボタンやジョグダイヤルなどの入力部を有する。
【００５５】
車載機用Ｉ／Ｆ部１５１は、車載機１００との通信に利用されるインタフェースである。例えば、車載機用Ｉ／Ｆ部１５１は、車載機１００とのケーブル接続による有線通信、或いはＢｌｕｅｔｏｏｔｈ（登録商標）接続による無線通信に利用されるインタフェースである。そして、車載機１００と端末装置１５０との間でやり取りされる各種情報は、車載機用Ｉ／Ｆ部１５１を介して送受信される。
【００５６】
端末基地局用Ｉ／Ｆ部１５２は、端末装置１５０用の基地局との無線通信に利用されるインタフェースである。例えば、端末基地局用Ｉ／Ｆ部１５２は、端末装置１５０による通話やインターネット通信などが行なわれる際の端末装置１５０と端末装置１５０用の基地局との無線通信に利用されるインタフェースである。そして、端末装置１５０と端末装置１５０用の基地局との間でやり取りされる各種情報は、端末基地局用Ｉ／Ｆ部１５２を介して送受信される。
【００５７】
記憶部１６０は、制御部１７０による各種処理結果に必要なデータや、制御部１７０による各種処理結果を記憶する。例えば、記憶部１６０は、携帯電話番号やメールアドレスなどの情報を記憶する。
【００５８】
制御部１７０は、制御プログラム、各種の処理手順などを規定したプログラムおよび所要データを格納するための内部メモリを有するとともに、特に、受信部１７１と、接続情報判定部１７２と、通信処理部１７３と、発信部１７４とを有し、これらによって種々の処理を実行する。例えば、制御部１７０は、車載機用Ｉ／Ｆ部１５１においてケーブルによる有線通信、またはＢｌｕｅｔｏｏｔｈ（登録商標）による無線通信が車載機１００と端末装置１５０との間で確立された場合に、当該通信の確立を検出する。
【００５９】
受信部１７１は、車載機用Ｉ／Ｆ部１５１を介して、車載機１００から送信された各種情報を受信する。例えば、受信部１７１は、車載機用Ｉ／Ｆ部１５１を介して、車載機１００から送信された端末装置１５０との接続にかかる接続情報やＩＰ通信にかかるＩＴＳ用の基地局による出力情報を受信する。また、受信部１７１は、端末基地局用Ｉ／Ｆ部１５２を介して、端末装置１５０用の基地局から送信された各種情報を受信する。
【００６０】
接続情報判定部１７２は、受信部１７１によって受信された接続情報を用いて、当該接続情報にかかる各種判定を行なう。例えば、接続情報判定部１７２は、受信部１７１によって受信された接続情報に含まれる再接続要求情報にフラグが立っているか否かを判定する。なお、接続情報判定部１７２は、接続情報に含まれる再接続要求情報にフラグが立っている場合に、当該再接続要求情報にフラグが立っている旨を通信処理部１７３に対して通知する。
【００６１】
そして、接続情報判定部１７２は、接続情報に含まれる再接続要求情報にフラグが立っていない場合に、接続情報に含まれる停波要求情報にフラグが立っているか否かを判定する。続いて、接続情報判定部１７２は、接続情報に含まれる停波要求情報にフラグが立っている場合に、当該停波要求情報にフラグが立っている旨を通信処理部１７３に対して通知する。なお、接続情報判定部１７２は、接続情報に含まれる停波要求情報にフラグが立っていない場合に、当該停波要求情報にフラグが立っていない旨を通信処理部１７３に対して通知する。
【００６２】
また、例えば、接続情報判定部１７２は、受信部１７１によって受信された接続情報にＩＰ接続情報（出力）が含まれているか否かを判定する。そして、接続情報判定部１７２は、ＩＰ接続情報（出力）が含まれていると判定された場合に、当該ＩＰ接続情報（出力）を通信処理部１７３に対して通知する。
【００６３】
また、例えば、接続情報判定部１７２は、受信部１７１によって端末装置１５０用の基地局から送信された無線通信にかかる各種情報が受信された場合に、当該各種情報を通信処理部１７３に対して通知する。
【００６４】
通信処理部１７３は、端末装置１５０、車載機１００および端末装置１５０用の基地局の接続或いは通信にかかる各種処理を行なう。例えば、通信処理部１７３は、接続情報判定部１７２によって再接続要求情報にフラグが立っている旨を通知された場合に、端末装置情報を記憶部１６０から取得し、取得された端末装置情報を含む接続情報を車載機１００に対して発信させる指示を発信部１７４に対して行なう。
【００６５】
また、例えば、通信処理部１７３は、接続情報判定部１７２によって停波要求情報にフラグが立っている旨を通知された場合に、端末装置１５０が有するＲＦ部の回路を切り替えることにより、一般携帯網における無線通信機能を停止する。
【００６６】
また、例えば、通信処理部１７３は、接続情報判定部１７２によって停波要求情報にフラグが立っていない旨を通知された場合に、端末装置１５０が有するＲＦ部の回路を切り替えることにより、一般携帯網における無線通信機能を開始する。なお、通信処理部１７３は、一般携帯網における無線通信機能が既に利用可能な状態である場合に、当該無線通信機能を利用可能な状態を維持する。
【００６７】
また、例えば、通信処理部１７３は、接続情報判定部１７２によってＩＰ接続情報（出力）が通知された場合に、当該ＩＰ接続情報（出力）をディスプレイやスピーカなどに表示出力させる。また、例えば、通信処理部１７３は、接続情報判定部１７２によって端末装置１５０用の基地局から送信された無線通信にかかる各種情報を通知された場合に、当該各種情報をディスプレイやスピーカなどに表示出力させる。
【００６８】
また、例えば、通信処理部１７３は、入力部においてＩＰ通信にかかる各種情報が入力された場合に、当該各種情報を接続情報に含まれるＩＰ接続情報（入力）に挿入して、車載機１００に対して発信させる指示を発信部１７４に対して行なう。なお、通信処理部１７３は、端末装置１５０による端末装置１５０用の基地局に対する無線通信機能が利用可能な状態において、入力部において無線通信にかかる各種情報が入力された場合に、端末装置１５０用の基地局に対して発信させる指示を発信部１７４に対して行なう。
【００６９】
発信部１７４は、通信処理部１７３による種々の発信指示を受け付けて、端末基地局用Ｉ／Ｆ部１５２を介して端末装置１５０用の基地局に対して、或いは車載機用Ｉ／Ｆ部１５１を介して車載機１００に対して発信処理を行なう。
【００７０】
例えば、発信部１７４は、通信処理部１７３によって端末装置情報を含む接続情報を車載機１００に発信する指示を受け付けた場合に、当該端末装置情報を含む接続情報を車載機用Ｉ／Ｆ部１５１を介して、車載機１００に対して発信する。
【００７１】
また、例えば、発信部１７４は、通信処理部１７３によってＩＰ接続情報（入力）を含む接続情報を車載機１００に対して発信する指示を受け付けた場合に、当該ＩＰ接続情報（入力）を含む接続情報を車載機用Ｉ／Ｆ部１５１を介して、車載機１００に対して発信する。
【００７２】
また、例えば、発信部１７４は、通信処理部１７３によって端末装置１５０用の基地局との無線通信にかかる各種情報を発信する指示を受け付けた場合に、当該無線通信にかかる各種情報を端末基地局用Ｉ／Ｆ部１５２を介して、端末装置１５０用の基地局に対して発信する。
【００７３】
［車載機における接続情報判定処理］
次に、図６を用いて、実施例１に係る車載機１００における接続情報判定処理の流れを説明する。図６は、実施例１に係る車載機１００における接続情報判定処理の流れを説明するためのフローチャートである。なお、以下では、車載機１００と端末装置１５０との間における通信が確立されていることとして説明する。
【００７４】
例えば、図６に示すように、車載機１００は、端末装置１５０によって発信された接続情報を受信した場合に（ステップＳ１０１肯定）、受信された接続情報に含まれる端末装置情報に電話番号またはＳＩＭカード番号などが有るか否かを判定する（ステップＳ１０２）。なお、車載機１００は、接続情報を受信していない場合に（ステップＳ１０１否定）、当該接続情報の受信待ちの状態となる。
【００７５】
そして、車載機１００は、端末装置情報に電話番号またはＳＩＭカード番号などが有る場合に（ステップＳ１０２肯定）、当該電話番号またはＳＩＭカード番号などが記憶部１１０に登録されているか否かを確認する（ステップＳ１０３）。
【００７６】
続いて、車載機１００は、電話番号またはＳＩＭカード番号などが記憶部１１０に登録されていない場合に（ステップＳ１０４否定）、当該電話番号またはＳＩＭカード番号などの新規登録要否をモニタに表示出力させる（ステップＳ１０５）。なお、電話番号などの新規登録要否をモニタに表示出力させる場合には、端末装置１５０を所有するユーザのユーザ情報を合わせて表示出力させるようにしても良い。
【００７７】
その後、車載機１００は、電話番号またはＳＩＭカード番号などの新規登録要求を受け付けた場合に（ステップＳ１０６肯定）、当該電話番号またはＳＩＭカード番号などを記憶部１１０に登録する（ステップＳ１０７）。
【００７８】
そして、車載機１００は、電話番号またはＳＩＭカード番号などが登録済みである場合（ステップＳ１０４肯定）、或いは記憶部１１０に登録された場合に、接続情報に含まれる停波要求情報にフラグを立てて端末装置１５０に対して送信する（ステップＳ１０８）。
【００７９】
なお、車載機１００は、受信された接続情報に端末装置情報が含まれていない場合（ステップＳ１０２否定）、或いは電話番号またはＳＩＭカード番号などを登録しない指示を受け付けた場合に（ステップＳ１０６否定）、接続情報に含まれる再接続要求情報にフラグを立てて端末装置１５０に対して送信する（ステップＳ１０９）。
【００８０】
［端末装置における接続情報判定処理］
次に、図７を用いて、実施例１に係る端末装置１５０における接続情報判定処理の流れを説明する。図７は、実施例１に係る端末装置１５０における接続情報判定処理の流れを説明するためのフローチャートである。
【００８１】
例えば、図７に示すように、端末装置１５０は、車載機用Ｉ／Ｆ部１５１においてケーブルによる有線通信、またはＢｌｕｅｔｏｏｔｈ（登録商標）などによる無線通信が確立されたか否かを検出する（ステップＳ２０１）。
【００８２】
そして、端末装置１５０は、車載機１００との通信が確立されたことを検出した場合に（ステップＳ２０１肯定）、接続情報に含まれる端末装置情報に電話番号またはＳＩＭカード番号などを挿入して、当該接続情報を車載機１００に対して発信する（ステップＳ２０２）。なお、発信される端末装置情報には、端末装置１５０を所有するユーザのユーザ情報が含まれていても良い。
【００８３】
続いて、端末装置１５０は、車載機１００から接続情報を受信した場合に（ステップＳ２０３肯定）、接続情報に含まれる再接続要求情報にフラグが立っているか否かを判定する（ステップＳ２０４）。その後、端末装置１５０は、再接続要求情報にフラグが立っていない場合に（ステップＳ２０４否定）、接続情報に含まれる停波要求情報にフラグが立っているか否かを判定する（ステップＳ２０５）。なお、端末装置１５０は、再接続要求情報にフラグが立っている場合に（ステップＳ２０４肯定）、接続情報に含まれる端末装置情報に電話番号またはＳＩＭカード番号などを挿入して、当該接続情報を車載機１００に対して再度発信する（ステップＳ２０２）。
【００８４】
そして、端末装置１５０は、停波要求情報にフラグが立っている場合に（ステップＳ２０５肯定）、当該端末装置１５０が有するＲＦ部の回路を切り替えることにより、一般携帯網における無線通信機能を停止する（ステップＳ２０６）。
【００８５】
なお、車載機１５０は、車載機１００との無線通信が確立されていない場合（ステップＳ２０１否定）、または停波要求情報にフラグが立っていない場合には（ステップＳ２０５否定）、端末装置１５０が有する無線通信機能の利用が可能となる。また、車載機１５０は、ステップＳ２０３において、タイムアウトなどにより車載機１００からの接続情報を所定時間以上受信されない場合に、端末装置１５０が有する無線通信機能の利用を可能にすることとしても良い。
【００８６】
つまり、図７に示した端末装置１５０による接続情報判定処理は、端末装置１５０と車載機１００との通信中に定期的に実施される処理である。換言すると、定期的に通信の接続を確認しているため、端末装置１５０が車載機１００と通信中ではない場合や、車載機１００と端末装置１５０とが通信可能な範囲ではない場合には、端末装置１５０が有する無線通信機能を利用することが可能な状態となる。
【００８７】
［発信および中継処理シーケンス］
次に、図８を用いて、実施例１に係る発信および中継処理の流れを説明する。図８は、実施例１に係る発信および中継処理の流れを説明するためのシーケンス図である。なお、以下では、車載機１００と端末装置１５０との間の通信が確立されているとともに、車載機１００による要求に従って端末装置１５０の無線通信機能が停波中である場合を説明する。
【００８８】
例えば、図８に示すように、端末装置１５０は、当該端末装置１５０を所有するユーザによる通話、Ｗｅｂアクセスまたは電子メールの送信などの要求を受け付けた場合に、データが挿入されたＩＰ接続情報（入力）を含む接続情報を車載機１００に対して発信する（ステップＳ３０１）。
【００８９】
そして、車載機１００は、ＩＰ接続情報（入力）を含む接続情報を受信した場合に、ＩＴＳ用の基地局とのＩＰ接続にかかる処理を実施して、当該ＩＰ接続情報（入力）をＩＴＳ用の基地局に対して送信する（ステップＳ３０２）。
【００９０】
続いて、ＩＴＳ用の基地局は、ＩＳＰを介して通信先にＩＰ接続情報（入力）を送信し、当該通信先から送信されたＩＰ接続情報（出力）を、端末装置１５０によるＩＰ接続情報（入力）の送信に対する応答として車載機１００に対して送信する（ステップＳ３０３）。
【００９１】
その後、車載機１００は、ＩＰ接続情報（出力）を含む接続情報を端末装置１５０に対して送信することにより、端末装置１５０とＩＴＳ用の基地局との通信を中継する（ステップＳ３０４）。そして、端末装置１５０は、ＩＰ接続情報（出力）を含んだ接続情報を受信する。なお、例えば、端末装置１５０による発信が通話である場合には、上記処理が繰り返し実施されることとなる。
【００９２】
［実施例１による効果］
上述したように、車載機１００は、端末装置１５０との通信の確立中に、端末装置１５０に対して停波を要求するとともに、当該車載機１００を介した中継通信を提供するので、車載機１００を介したＩＰ通信により端末装置１５０の通信を維持しつつ、高度道路交通システム下における無線帯域で発生する電波干渉を抑止することができる。
【００９３】
また、車載機１００は、端末装置１５０による車載機１００を介したＩＰ通信利用のための端末装置情報の登録要否をモニタに出力して、登録要求された端末装置１５０に対して停波要求を送信し、停波中の端末装置１５０にのみＩＰ通信を提供するので、車両近傍の通行人が所有する端末装置を不意に停波させることなく、無線帯域で発生する電波干渉を抑止することができる。
【実施例２】
【００９４】
さて、これまで本願に開示する車載機の実施例について説明したが、上述した実施例以外にも種々の異なる形態にて実施されてよいものである。そこで、（１）端末装置情報の仮登録／本登録、（２）無線通信機能の開始要求、（３）車載機の構成、（４）端末装置の構成、（５）通信中継プログラム、（６）通信切替プログラム、において異なる実施例を説明する。
【００９５】
（１）端末装置情報の仮登録／本登録
上記実施例１では、識別情報が登録された端末装置１５０に対して停波要求する場合を説明したが、一時的に識別情報を登録する仮登録または半永久的に識別情報を登録する本登録として登録するようにしても良い。
【００９６】
例えば、車載機１００は、記憶部１１０に端末装置１５０が有する電話番号或いはＳＩＭカード番号などの識別情報が登録されていない場合に、当該識別情報を一時的に登録する仮登録または半永久的に登録する本登録としての登録要否をモニタに表示出力させる。
【００９７】
そして、車載機１００は、識別情報が登録されていない端末装置１５０が有する識別情報の仮登録または本登録としての登録要求を受け付けた場合に、当該端末装置１５０の識別情報を記憶部１１０に仮登録または本登録として登録する。
【００９８】
本登録は、例えば、車両の所有者や家族などの当該車両を頻繁に利用するユーザに対して行なうためのものであり、半永久的に登録される本登録をしておくことにより、本登録ユーザに対する端末装置情報の登録要否確認を省略することができる。なお、登録された端末装置情報は、任意に削除できるものとする。
【００９９】
一方、仮登録は、例えば、車両の所有者の友人や同乗者などの当該車両を頻繁に利用しないユーザに対して行なうためのものであり、一時的に登録される仮登録をしておくことにより、仮登録ユーザに対するＩＰ通信の利用を許可する。なお、仮登録された端末装置情報は、イグニッションキーと連携させてエンジンを切った際などに削除されたり、３時間や一日など所定時間の経過に伴って削除されたりする。
【０１００】
（２）無線通信機能の開始要求
また、上記実施例１では、車載機１００と端末装置１５０との間における通信の確立中に、当該端末装置１５０が有する無線通信機能を停止する場合を説明したが、停止された無線通信機能を任意のタイミングで再開するようにしても良い。
【０１０１】
例えば、車載機１００は、所定の入力部において接続される端末装置１５０が有する無線通信機能の開始要求を受け付けた場合に、当該無線通信機能の開始要求を端末装置１５０に対して送信する。無線通信機能の開始要求では、フラグが立てられていない停波要求情報を含んだ接続情報が端末装置１５０に対して送信される。
【０１０２】
詳細には、車載機１００と端末装置１５０との通信中に定期的に処理される図７の処理フローにおいて、ステップＳ２０５での停波要求情報が無いので、端末装置１５０の無線通信機能の利用が可能な状態となる。なお、無線通信機能の開始については、車載機１００との通信開始時に、無線通信機能を開始するプログラムを端末装置１５０に予め送信しておくことにより、所定の停波要求に従って当該プログラムを実行するようにしても良い。
【０１０３】
つまり、車載機１００は、車載機１００の故障などでＩＰ通信が行なえない場合や、車両事故や急病人の発生などの緊急時に通話したい場合などに、端末装置１５０が有する無線通信機能を再開させることができる。
【０１０４】
（３）車載機の構成
また、上記文書中や図面中などで示した処理手順、制御手順、具体的名称、各種のデータやパラメタなどを含む情報（例えば、「記憶部１１０」に記憶される端末装置情報など）については、特記する場合を除いて任意に変更することができる。
【０１０５】
また、図示した各装置の各構成要素は、機能概念的なものであり、必ずしも物理的に図示の如く構成されていることを要しない。すなわち、各装置の分散・統合の具体的形態は、図示のものに限られず、例えば、接続処理部１２３を、停波要求処理を行なう「停波要求処理部」と、端末装置１５０およびＩＴＳ用の基地局間でやり取りされるデータを中継する「中継処理部」とに分散するなど、その全部または一部を各種の負担や使用状況などに応じて、任意の単位で機能的または物理的に分散・統合することができる。さらに、各装置にて行われる各処理機能は、その全部または任意の一部が、ＣＰＵおよび当該ＣＰＵにて解析実行されるプログラムにて実現され、或いは、ワイヤードロジックによるハードウェアとして実現され得る。
【０１０６】
（４）端末装置の構成
また、上記文書中や図面中などで示した処理手順、制御手順、具体的名称、各種のデータやパラメタなどを含む情報（例えば、「車載機用Ｉ／Ｆ部１５１」や「端末基地局用Ｉ／Ｆ部１５２」の具体的名称など）については、特記する場合を除いて任意に変更することができる。
【０１０７】
また、図示した各装置の各構成要素は、機能概念的なものであり、必ずしも物理的に図示の如く構成されていることを要しない。すなわち、各装置の分散・統合の具体的形態は、図示のものに限られず、例えば、通信処理部１７３を、端末装置１５０が有する無線通信機能を停止する「停波処理部」と、各種情報の発信を指示する「発信指示処理部」とに分散するなど、その全部または一部を各種の負担や使用状況などに応じて、任意の単位で機能的または物理的に分散・統合することができる。さらに、各装置にて行われる各処理機能は、その全部または任意の一部が、ＣＰＵおよび当該ＣＰＵにて解析実行されるプログラムにて実現され、或いは、ワイヤードロジックによるハードウェアとして実現され得る。
【０１０８】
（５）通信中継プログラム
ところで、上記実施例では、ハードウェアロジックによって各種の処理を実現する場合を説明したが、予め用意されたプログラムをコンピュータで実行することによって実現するようにしても良い。そこで、以下では、図９を用いて、上記実施例に示した車載機１００と同様の機能を有する通信中継プログラムを実行するコンピュータの一例を説明する。図９は、通信中継プログラムを実行するコンピュータを示す図である。
【０１０９】
図９に示すように、車載機１００としてのコンピュータ１１は、バス１８で接続されるＨＤＤ１３、ＣＰＵ１４、ＲＯＭ１５およびＲＡＭ１６などを有する。
【０１１０】
ＲＯＭ１５には、上記実施例１に示した車載機１００と同様の機能を発揮する通信中継プログラム、つまり、図９に示すように、停止要求送信プログラム１５ａと、通信切替指示プログラム１５ｂと、通信中継プログラム１５ｃとが、予め記憶されている。なお、これらのプログラム１５ａ〜プログラム１５ｃについては、図３に示した車載機１００の各構成要素と同様、適宜統合または分散しても良い。
【０１１１】
そして、ＣＰＵ１４がこれらのプログラム１５ａ〜プログラム１５ｃをＲＯＭ１５から読み出して実行することで、図９に示すように、プログラム１５ａ〜プログラム１５ｃは、停止要求送信プロセス１４ａと、通信切替指示プロセス１４ｂと、通信中継プロセス１４ｃとして機能するようになる。なお、プロセス１４ａ〜プロセス１４ｃは、図３に示した、受信部１２１と、接続情報判定部１２２と、接続処理部１２３と、送信部１２４とに対応する。
【０１１２】
そして、ＣＰＵ１４はＲＡＭ１６に記録されたデータに基づいて通信中継プログラムを実行する。
【０１１３】
なお、上記各プログラム１５ａ〜プログラム１５ｃについては、必ずしも最初からＲＯＭ１５に記憶させておく必要はなく、例えば、コンピュータ１１に挿入されるフレキシブルディスク（ＦＤ）、ＣＤ−ＲＯＭ、ＤＶＤディスク、光磁気ディスク、ＩＣカードなどの「可搬用の物理媒体」、またはコンピュータ１１の内外に備えられるＨＤＤなどの「固定用の物理媒体」、さらには公衆回線、インターネット、ＬＡＮ、ＷＡＮなどを介してコンピュータ１１に接続される「他のコンピュータ（またはサーバ）」などに各プログラムを記憶させておき、コンピュータ１１がこれから各プログラムを読み出して実行するようにしてもよい。
【０１１４】
（６）通信切替プログラム
また、上記実施例では、ハードウェアロジックによって各種の処理を実現する場合を説明したが、予め用意されたプログラムをコンピュータで実行することによって実現するようにしても良い。そこで、以下では、図１０を用いて、上記実施例に示した端末装置１５０と同様の機能を有する通信切替プログラムを実行するコンピュータの一例を説明する。図１０は、通信切替プログラムを実行するコンピュータを示す図である。
【０１１５】
図１０に示すように、端末装置１５０としてのコンピュータ２１は、バス２８で接続されるＨＤＤ２３、ＣＰＵ２４、ＲＯＭ２５およびＲＡＭ２６などを有する。
【０１１６】
ＲＯＭ２５には、上記実施例１に示した端末装置１５０と同様の機能を発揮する通信切替プログラム、つまり、図１０に示すように、無線通信停止プログラム２５ａと、通信切替プログラム２５ｂと、送受信プログラム２５ｃとが、予め記憶されている。なお、これらのプログラム２５ａ〜プログラム２５ｃについては、図５に示した端末装置１５０の各構成要素と同様、適宜統合または分散しても良い。
【０１１７】
そして、ＣＰＵ２４がこれらのプログラム２５ａ〜プログラム２５ｃをＲＯＭ２５から読み出して実行することで、図１０に示すように、プログラム２５ａ〜プログラム２５ｃは、無線通信停止プロセス２４ａと、通信切替プロセス２４ｂと、送受信プロセス２４ｃとして機能するようになる。なお、プロセス２４ａ〜プロセス２４ｃは、図５に示した、受信部１７１と、接続情報判定部１７２と、通信処理部１７３と、発信部１７４とに対応する。
【０１１８】
そして、ＣＰＵ２４はＲＡＭ２６に記録されたデータに基づいて通信切替プログラムを実行する。
【０１１９】
なお、上記各プログラム２５ａ〜プログラム２５ｃについては、必ずしも最初からＲＯＭ２５に記憶させておく必要はなく、例えば、コンピュータ２１に挿入されるフレキシブルディスク（ＦＤ）、ＣＤ−ＲＯＭ、ＤＶＤディスク、光磁気ディスク、ＩＣカードなどの「可搬用の物理媒体」、またはコンピュータ２１の内外に備えられるＨＤＤなどの「固定用の物理媒体」、さらには公衆回線、インターネット、ＬＡＮ、ＷＡＮなどを介してコンピュータ２１に接続される「他のコンピュータ（またはサーバ）」などに各プログラムを記憶させておき、コンピュータ２１がこれから各プログラムを読み出して実行するようにしてもよい。
【０１２０】
以上の実施例１および実施例２を含む実施形態に関し、更に以下の付記を開示する。
【０１２１】
（付記１）端末装置用の基地局と無線通信を行なう端末装置に対して、無線通信機能の停止要求を送信する停止要求送信手順と、
車載機を介した車載機用の基地局装置との通信に切り替える指示を前記端末装置に対して送信する通信切替指示手順と、
前記端末装置と、前記車載機用の基地局装置との通信を中継する通信中継手順と、
をコンピュータに実行させることを特徴とする通信中継プログラム。
【０１２２】
（付記２）前記車載機と前記端末装置との通信が確立されたことを検出する検出手順をさらに実行させ、
前記停止要求送信手順は、前記検出手順によって通信の確立が検出された場合に、前記端末装置に対して、無線通信機能の停止要求を送信することを特徴とする付記１に記載の通信中継プログラム。
【０１２３】
（付記３）端末装置を個別に識別するための識別情報を記憶する記憶装置に、前記端末装置が有する識別情報が登録されているか否かを判定する識別情報登録判定手順と、
前記識別情報登録判定手順によって識別情報が登録されていないと判定された端末装置が有する識別情報の登録要否を表示装置に出力させる登録要否出力手順と、
前記識別情報が登録されていないと判定された端末装置が有する識別情報の登録要求を受け付けた場合に、当該端末装置の識別情報を前記記憶装置に登録する識別情報登録手順と、をさらに実行させ、
前記停止要求送信手順は、前記識別情報登録判定手順によって識別情報が登録されていると判定された場合、または前記識別情報登録手順によって端末装置の識別情報が前記記憶装置に登録された場合に、前記停止要求を前記端末装置に対して送信することを特徴とする付記１または２に記載の通信中継プログラム。
【０１２４】
（付記４）前記登録要否出力手順は、前記識別情報登録判定手順によって識別情報が登録されていないと判定された端末装置が有する識別情報を、一時的に登録する仮登録または半永久的に登録する本登録としての登録要否を前記表示装置に出力させ、
前記識別情報登録手順は、前記識別情報が登録されていないと判定された端末装置が有する識別情報の仮登録または本登録としての登録要求を受け付けた場合に、当該端末装置の識別情報を前記記憶装置に仮登録または本登録として登録することを特徴とする付記３に記載の通信中継プログラム。
【０１２５】
（付記５）無線通信機能の開始要求を前記端末装置に対して送信する開始要求送信手順をさらに実行させることを特徴とする付記１または２に記載の通信中継プログラム。
【０１２６】
（付記６）端末装置用の基地局と無線通信を行なう端末装置に対して、無線通信機能の停止要求を送信する停止要求送信手段と、
自装置を介した自装置用の基地局装置との通信に切り替える指示を前記端末装置に対して送信する通信切替指示手段と、
前記端末装置と、前記自装置用の基地局装置との通信を中継する通信中継手段と、
を有することを特徴とする車載機。
【０１２７】
（付記７）端末装置用の基地局と無線通信を行なう端末装置に対して、無線通信機能の停止要求を送信する停止要求送信工程と、
車載機を介した車載機用の基地局装置との通信に切り替える指示を前記端末装置に対して送信する通信切替指示工程と、
前記端末装置と、前記車載機用の基地局装置との通信を中継する通信中継工程と、
を含んだことを特徴とする通信中継方法。
【０１２８】
（付記８）端末装置に対する無線通信機能の停止要求を受け付けた場合に、当該無線通信機能を停止する無線通信停止手順と、
車載機を介した車載機用の基地局装置との通信に切り替える指示を受け付けた場合に、前記端末装置の通信を、当該車載機を介した車載機用の基地局装置との通信に切り替える通信切替手順と、
前記通信切替手順によって切り替えられた通信に従って、当該通信にかかるデータを送受信する送受信手順と、
をコンピュータに実行させることを特徴とする通信切替プログラム。
【０１２９】
（付記９）無線通信機能の停止要求を受け付けた場合に、当該無線通信機能を停止する無線通信停止手段と、
車載機を介した車載機用の基地局装置との通信に切り替える指示を受け付けた場合に、自装置の通信を、当該車載機を介した車載機用の基地局装置との通信に切り替える通信切替手段と、
前記通信切替手段によって切り替えられた通信に従って、当該通信にかかるデータを送受信する送受信手段と、
を有することを特徴とする端末装置。
【０１３０】
（付記１０）端末装置に対する無線通信機能の停止要求を受け付けた場合に、当該無線通信機能を停止する無線通信停止工程と、
車載機を介した車載機用の基地局装置との通信に切り替える指示を受け付けた場合に、前記端末装置の通信を、当該車載機を介した車載機用の基地局装置との通信に切り替える通信切替工程と、
前記通信切替工程によって切り替えられた通信に従って、当該通信にかかるデータを送受信する送受信工程と、
を含んだことを特徴とする通信切替方法。
【符号の説明】
【０１３１】
１００  車載機
１０１  端末用Ｉ／Ｆ部
１０２  ＩＴＳ基地局用Ｉ／Ｆ部
１１０  記憶部
１２０  制御部
１２１  受信部
１２２  接続情報判定部
１２３  接続処理部
１２４  送信部
１５０  端末装置
１５１  車載機用Ｉ／Ｆ部
１５２  端末基地局用Ｉ／Ｆ部
１６０  記憶部
１７０  制御部
１７１  受信部
１７２  接続情報判定部
１７３  通信処理部
１７４  発信部
【図１】
2010226257.tif 000003
【図２】
2010226257.tif 000004
【図３】
2010226257.tif 000005
【図４】
2010226257.tif 000006
【図５】
2010226257.tif 000007
【図６】
2010226257.tif 000008
【図７】
2010226257.tif 000009
【図８】
2010226257.tif 000010
【図９】
2010226257.tif 000011
【図１０】
2010226257.tif 000012